(57)【要約】【課題】空調系統および冷却系統の相互の運転状態に関係なく、冷房および冷却能力を高める。【解決手段】圧縮機構（２Ｄ，２Ｅ）および室外熱交換器（４）を有する熱源系統に、室内熱交換器（４１）を有する空調系統と冷蔵熱交換器（４５）および冷凍熱交換器（５１）を有する冷却系統とが接続された冷媒回路（１Ｅ）を備えて蒸気圧縮式冷凍サイクルを行う。空調系統および冷却系統の各連絡液管（１１，１２）に、それぞれ個別に過冷却熱交換器（１１１，１０１）と、該過冷却熱交換器（１１１，１０１）に接続されると共に、一端が各連絡液管（１１，１２）に接続され、他端が冷却系統用の圧縮機構（２Ｄ）の吸入側に接続され、各連絡液管（１１，１２）の液冷媒から分岐した分岐冷媒で各連絡液管（１１，１２）の液冷媒を過冷却するように冷媒が流れる過冷却通路（１１２，１０２）とを設け、過冷却された液冷媒をそれぞれ室内熱交換器（４１）と冷蔵熱交換器（４５）と冷凍熱交換器（５１）とに流して蒸発させる。【選択図】  図１
2004347269.tif 000002
【特許請求の範囲】
【請求項１】
圧縮機構（２Ｄ，２Ｅ）および熱源側熱交換器（４）を有する熱源系統に、室内を空調する室内熱交換器（４１）を有する空調系統と庫内を冷却する冷却熱交換器（４５）を有する冷却系統とが接続された冷媒回路（１Ｅ）を備え、蒸気圧縮式冷凍サイクルを行う冷凍装置であって、
上記空調系統および冷却系統の液管（１１，１２）には、個別に液管（１１，１２）を流れる液冷媒を過冷却するそれぞれの過冷却手段（１１０，１００）が設けられ、
上記空調系統の過冷却手段（１００）は、空調系統の液管（１２）に設けられた過冷却熱交換器（１０１）と、該過冷却熱交換器（１０１）に接続されると共に、一端が空調系統の液管（１２）に接続され、他端が圧縮機構（２Ｄ，２Ｅ）の吸入側に接続され、液管（１２）の液冷媒から分岐した分岐冷媒で液管（１２）の液冷媒を過冷却するように冷媒が流れる過冷却通路（１０２）とにより構成される一方、
上記冷却系統の過冷却手段（１１０）は、冷却系統の液管（１１）に設けられた過冷却熱交換器（１１１）と、該過冷却熱交換器（１１１）に接続されると共に、一端が冷却系統の液管（１１）に接続され、他端が圧縮機構（２Ｄ，２Ｅ）の吸入側に接続され、液管（１１）の液冷媒から分岐した分岐冷媒で液管（１１）の液冷媒を過冷却するように冷媒が流れる過冷却通路（１１２）とにより構成されている
ことを特徴とする冷凍装置。
【請求項２】
請求項１において、
上記各過冷却通路（１０２，１１２）は、液管（１２，１１）から液相の分岐冷媒を過冷却熱交換器（１０１，１１１）に導く上流側通路（１０３，１１３）と、過冷却熱交換器（１０１，１１１）で蒸発した分岐冷媒を圧縮機構（２Ｄ，２Ｅ）の吸入側に導く下流側通路（１０６，１１６）と、上流側通路（１０３，１１３）に設けられた膨張機構（１０４，１１４）とを備えている
ことを特徴とする冷凍装置。
【請求項３】
請求項２において、
上記熱源系統の圧縮機構（２Ｄ，２Ｅ）は、空調系統用の圧縮機構（２Ｅ）と冷却系統用の圧縮機構（２Ｄ）とにより構成され、
上記各過冷却通路（１０２，１１２）における下流側通路（１０６，１１６）は、過冷却熱交換器（１０１，１１１）で蒸発した分岐冷媒を冷却系統用の圧縮機構（２Ｄ）の吸入側に導くように構成されている
ことを特徴とする冷凍装置。
【請求項４】
請求項３において、
上記冷媒回路（１Ｅ）は、該冷媒回路（１Ｅ）を循環する液冷媒の一部を冷却系統用の圧縮機構（２Ｄ）の吸入側に供給するリキッドインジェクション管（２７）を備えている
ことを特徴とする冷凍装置。
【請求項５】
請求項１〜４の何れか１項において、
上記冷媒回路（１Ｅ）は、圧縮機構（２Ｄ，２Ｅ）から吐出された高圧冷媒が熱源側熱交換器（４）で凝縮して室内熱交換器（４１）および冷却熱交換器（４５）の少なくとも何れか一方で蒸発する第１運転と、圧縮機構（２Ｄ，２Ｅ）から吐出された高圧冷媒が室内熱交換器（４１）で凝縮して熱源側熱交換器（４）および冷却熱交換器（４５）の少なくとも何れか一方で蒸発する第２運転とが可能に構成されている
ことを特徴とする冷凍装置。
【請求項６】
圧縮機構（２Ｄ，２Ｅ）および熱源側熱交換器（４）を有する熱源系統に、室内を空調する室内熱交換器（４１）を有する空調系統と庫内を冷却する冷却熱交換器（４５）を有する冷却系統とが接続されて蒸気圧縮式冷凍サイクルを行う冷媒回路（１Ｅ）を備え、
上記冷媒回路（１Ｅ）は、圧縮機構（２Ｄ，２Ｅ）から吐出された高圧冷媒が熱源側熱交換器（４）で凝縮して室内熱交換器（４１）および冷却熱交換器（４５）の少なくとも何れか一方で蒸発する第１運転と、圧縮機構（２Ｄ，２Ｅ）から吐出された高圧冷媒が室内熱交換器（４１）で凝縮して熱源側熱交換器（４）および冷却熱交換器（４５）の少なくとも何れか一方で蒸発する第２運転とが可能に構成されている冷凍装置であって、
上記冷媒回路（１Ｅ）は、第１運転時に液冷媒が熱源側熱交換器（４）から室内熱交換器（４１）と冷却熱交換器（４５）とに流れる配管で、且つ、第２運転時に液冷媒が室内熱交換器（４１）から冷却熱交換器（４５）に流れる配管に、該配管を流れる液冷媒を過冷却する過冷却手段（１００）を備えている
ことを特徴とする冷凍装置。
【請求項７】
請求項６において、
上記過冷却手段（１００）は、冷却系統の液管（１１）に設けられて該液管（１１）を流れる液冷媒を空気で過冷却する空気熱交換器（１２１）であり、
上記空調系統の液管（１２）には、室内熱交換器（４１）から熱源系統に向かう冷媒の流れのみを許容する逆止弁（１２５）が設けられる一方、
上記冷却系統の液管（１１）は、一端が冷却系統の液管（１１）における冷却熱交換器（４５）と空気熱交換器（１２１）との間に接続され、他端が空調系統の液管（１２）における室内熱交換器（４１）と逆止弁（１２５）との間に接続された分岐通路（１２３）を備え、
上記分岐通路（１２３）には、冷却系統の液管（１１）から空調系統の液管（１２）に向かう冷媒の流れのみを許容する逆止弁（１２４）が設けられている
ことを特徴とする冷凍装置。
【請求項８】
請求項６において、
上記過冷却手段（１００）は、空調系統の液管（１２）に設けられた過冷却熱交換器（１０１）と、該過冷却熱交換器（１０１）に接続されると共に、一端が空調系統の液管（１２）に接続され、他端が圧縮機構（２Ｄ，２Ｅ）の吸入側に接続され、液管（１２）の液冷媒から分岐した分岐冷媒で液管（１２）の液冷媒を過冷却するように冷媒が流れる過冷却通路（１０２）とにより構成されている
ことを特徴とする冷凍装置。
【請求項９】
請求項８において、
上記過冷却通路（１０２）は、膨張機構（１０４）を有して液管（１２）から液相の分岐冷媒を過冷却熱交換器（１０１）に導く上流側通路（１０３）と、過冷却熱交換器（１０１）で蒸発した分岐冷媒を圧縮機構（２Ｄ，２Ｅ）の吸入側に導く下流側通路（１０６）とを備えている
ことを特徴とする冷凍装置。
【発明の詳細な説明】
【０００１】
【発明の属する技術分野】
本発明は、冷凍装置に関し、特に、空調用の利用側熱交換器と冷却用の利用側熱交換器とを有する冷媒回路を備えた冷凍装置の能力向上対策に係るものである。
【０００２】
【従来の技術】
従来より、冷凍サイクルを行う冷凍装置が知られている。この冷凍装置は、特許文献１に開示されているように、室内を冷暖房する空調機や、食品等を貯蔵する冷蔵庫、冷凍庫またはショーケース等の冷却機として広く利用されている。この冷凍装置には、冷蔵および冷凍を行うもの、あるいは、これに加えて空調をも行うもの等がある。
【０００３】
上記冷凍装置は、例えば、コンビニエンスストア等に設置される。この冷凍装置には、圧縮機と凝縮器とショーケース内の蒸発器とが接続されてなる空調用、冷蔵用および冷凍用のそれぞれの冷媒回路が形成されている。これらの冷媒回路で蒸気圧縮式冷凍サイクルを行うことによって、室内を冷暖房する一方、冷蔵用および冷凍用のショーケース内を冷却している。
【０００４】
また、上記冷媒回路において、液冷媒を過冷却することが考えられる。この過冷却手段としては、特許文献２に開示されているように、液冷媒の一部を蒸発させて過冷却を行うようにしている。
【０００５】
【特許文献１】
特開２００２−３５７３７４号公報
【特許文献２】
特開２００１−３３１１０号公報
【０００６】
【発明が解決しようとする課題】
しかしながら、上述した特許文献１の冷凍装置において、単に特許文献２の過冷却手段を設けたのみでは、室内ユニットの暖房運転時に液冷媒を過冷却することができないという問題があった。
【０００７】
本発明は、斯かる点に鑑みてなされたものであり、その目的とするところは、空調および冷却の両方を行う冷凍装置において、空調または冷却運転の如何に関係なく、循環する冷媒を過冷却することによって、冷房能力または冷却能力を高めることである。
【０００８】
【課題を解決するための手段】
具体的に、請求項１に係る発明は、圧縮機構（２Ｄ，２Ｅ）および熱源側熱交換器（４）を有する熱源系統に、室内を空調する室内熱交換器（４１）を有する空調系統と庫内を冷却する冷却熱交換器（４５）を有する冷却系統とが接続された冷媒回路（１Ｅ）を備え、蒸気圧縮式冷凍サイクルを行う冷凍装置を前提としている。そして、上記空調系統および冷却系統の液管（１１，１２）には、個別に液管（１１，１２）を流れる液冷媒を過冷却するそれぞれの過冷却手段（１１０，１００）が設けられている。上記空調系統の過冷却手段（１００）は、空調系統の液管（１２）に設けられた過冷却熱交換器（１０１）と、該過冷却熱交換器（１０１）に接続されると共に、一端が空調系統の液管（１２）に接続され、他端が圧縮機構（２Ｄ，２Ｅ）の吸入側に接続され、液管（１２）の液冷媒から分岐した分岐冷媒で液管（１２）の液冷媒を過冷却するように冷媒が流れる過冷却通路（１０２）とにより構成されている。一方、上記冷却系統の過冷却手段（１１０）は、冷却系統の液管（１１）に設けられた過冷却熱交換器（１１１）と、該過冷却熱交換器（１１１）に接続されると共に、一端が冷却系統の液管（１１）に接続され、他端が圧縮機構（２Ｄ，２Ｅ）の吸入側に接続され、液管（１１）の液冷媒から分岐した分岐冷媒で液管（１１）の液冷媒を過冷却するように冷媒が流れる過冷却通路（１１２）とにより構成されている。
【０００９】
上記の発明では、空調系統および冷却系統の各過冷却熱交換器（１０１，１１１）において、各液管（１２，１１）を流れる液冷媒が各液管（１２，１１）から分岐した分岐冷媒で過冷却され、その後、分岐冷媒が両系統共に、圧縮機構（２Ｄ，２Ｅ）の吸入側に流れる。一方、上記各過冷却手段（１１０，１００）でそれぞれ個別に過冷却された液冷媒が空調系統の室内熱交換器（４１）および冷却系統の冷却熱交換器（４５）のそれぞれに流れて蒸発する。したがって、過冷却をしない場合よりも、室内熱交換器（４１）および冷却熱交換器（４５）における冷媒の熱量が大きくなり、冷房能力および冷却能力が向上する。また、上記室内熱交換器（４１）には、冷却系統の運転状況に関係なく、過冷却された液冷媒が流れる。したがって、常に高い冷房能力で運転が行われる。
【００１０】
また、請求項２に係る発明は、請求項１において、上記各過冷却通路（１０２，１１２）は、液管（１２，１１）から液相の分岐冷媒を過冷却熱交換器（１０１，１１１）に導く上流側通路（１０３，１１３）と、過冷却熱交換器（１０１，１１１）で蒸発した分岐冷媒を圧縮機構（２Ｄ，２Ｅ）の吸入側に導く下流側通路（１０６，１１６）と、上流側通路（１０３，１１３）に設けられた膨張機構（１０４，１１４）とを備えている。
【００１１】
上記の発明では、液管（１２，１１）から分岐した分岐冷媒が上流側通路（１０３，１１３）を流れ、膨張機構（１０４，１１４）で減圧した後、過冷却熱交換器（１０１，１１１）で液管（１２，１１）の液冷媒を過冷却して蒸発し、下流側通路（１０６，１１６）から圧縮機構（２Ｄ，２Ｅ）の吸入側に流れる。したがって、上記空調系統および冷却系統における各液管（１２，１１）の液冷媒が確実に個別に過冷却される。
【００１２】
また、請求項３に係る発明は、請求項２において、上記熱源系統の圧縮機構（２Ｄ，２Ｅ）は、空調系統用の圧縮機構（２Ｅ）と冷却系統用の圧縮機構（２Ｄ）とにより構成され、上記各過冷却通路（１０２，１１２）における下流側通路（１０６，１１６）は、過冷却熱交換器（１０１，１１１）で蒸発した分岐冷媒を冷却系統用の圧縮機構（２Ｄ）の吸入側に導くように構成されている。
【００１３】
上記の発明では、空調系統を冷房運転から暖房運転に切り換えて空調系統の吐出ラインと吸入ラインとが切り換わった場合でも、空調系統の過冷却手段（１００）で蒸発したガス冷媒が常に冷却系統用の圧縮機構（２Ｄ）の吸入側に流れる。したがって、確実な液冷媒の過冷却が行われると共に、ガス冷媒の流入先を切り換えるための新たな切換手段等が不要になり、コンパクトな冷媒回路（１Ｅ）が構築される。
【００１４】
また、請求項４に係る発明は、請求項３において、上記冷媒回路（１Ｅ）は、該冷媒回路（１Ｅ）を循環する液冷媒の一部を冷却系統の圧縮機構（２Ｄ）の吸入側に供給するリキッドインジェクション管（２７）を備えている。
【００１５】
上記の発明によれば、圧縮機構（２Ｄ）に吸入されるガス冷媒の過熱を抑制することができる。つまり冷却熱交換器（４５）で蒸発したガス冷媒は、各過冷却手段（１００）で蒸発した過熱状態のガス冷媒と混合するので、そのままでは、過熱度が増大する。ところが、この過熱度の高いガス冷媒は、圧縮機構（２Ｄ）に流入する前に、リキッドインジェクション管（２７）からの液冷媒と混合するため、圧縮機構（２Ｄ）における冷媒の過熱が抑制される。これにより、圧縮機構（２Ｄ）の信頼性が向上する。
【００１６】
また、請求項５に係る発明は、請求項１〜４の何れか１項において、上記冷媒回路（１Ｅ）は、圧縮機構（２Ｄ，２Ｅ）から吐出された高圧冷媒が熱源側熱交換器（４）で凝縮して室内熱交換器（４１）および冷却熱交換器（４５）の少なくとも何れか一方で蒸発する第１運転と、圧縮機構（２Ｄ，２Ｅ）から吐出された高圧冷媒が室内熱交換器（４１）で凝縮して熱源側熱交換器（４）および冷却熱交換器（４５）の少なくとも何れか一方で蒸発する第２運転とが可能に構成されている。
【００１７】
上記の発明では、空調系統の冷房運転および冷却系統の冷凍運転の両方または何れか一方を行う第１運転と、空調系統の暖房運転および冷却系統の冷凍運転の両方または何れか一方を行う第２運転とが可能である。
【００１８】
また、請求項６に係る発明は、圧縮機構（２Ｄ，２Ｅ）および熱源側熱交換器（４）を有する熱源系統に、室内を空調する室内熱交換器（４１）を有する空調系統と庫内を冷却する冷却熱交換器（４５）を有する冷却系統とが接続されて蒸気圧縮式冷凍サイクルを行う冷媒回路（１Ｅ）を備え、上記冷媒回路（１Ｅ）は、圧縮機構（２Ｄ，２Ｅ）から吐出された高圧冷媒が熱源側熱交換器（４）で凝縮して室内熱交換器（４１）および冷却熱交換器（４５）の少なくとも何れか一方で蒸発する第１運転と、圧縮機構（２Ｄ，２Ｅ）から吐出された高圧冷媒が室内熱交換器（４１）で凝縮して熱源側熱交換器（４）および冷却熱交換器（４５）の少なくとも何れか一方で蒸発する第２運転とが可能に構成されている冷凍装置を前提としている。そして、上記冷媒回路（１Ｅ）は、第１運転時に液冷媒が熱源側熱交換器（４）から室内熱交換器（４１）と冷却熱交換器（４５）とに流れる配管で、且つ、第２運転時に液冷媒が室内熱交換器（４１）から冷却熱交換器（４５）に流れる配管に、該配管を流れる液冷媒を過冷却する過冷却手段（１００）を備えている。
【００１９】
上記の発明では、第１運転の場合、過冷却手段（１００）で過冷却された液冷媒が室内熱交換器（４１）と冷却熱交換器（４５）との両方に、または何れか一方に流れて蒸発する。一方、上記第２運転の場合、室内熱交換器（４１）で凝縮した後、過冷却手段（１００）で過冷却された液冷媒が冷却熱交換器（４５）に流れて蒸発する。したがって、上記空調系統および冷却系統の相互の運転状況に関係なく、冷房および冷却能力の両方、または何れか一方が向上する。また、上記第２運転の場合、室内熱交換器（４１）における冷媒の凝縮熱量が冷却熱交換器（４５）における冷媒の蒸発熱量に変わるので、熱回収運転が行われていることになり、運転の効率化が図られる。
【００２０】
また、請求項７に係る発明は、請求項６において、上記過冷却手段（１００）は、冷却系統の液管（１１）に設けられて該液管（１１）を流れる液冷媒を空気で過冷却する空気熱交換器（１２１）であり、上記空調系統の液管（１２）には、室内熱交換器（４１）から熱源系統に向かう冷媒の流れのみを許容する逆止弁（１２５）が設けられる一方、上記冷却系統の液管（１１）は、一端が冷却系統の液管（１１）における冷却熱交換器（４５）と空気熱交換器（１２１）との間に接続され、他端が空調系統の液管（１２）における室内熱交換器（４１）と逆止弁（１２５）との間に接続された分岐通路（１２３）を備え、上記分岐通路（１２３）には、冷却系統の液管（１１）から空調系統の液管（１２）に向かう冷媒の流れのみを許容する逆止弁（１２４）が設けられている。
【００２１】
上記の発明では、第１運転の場合、例えば、熱源側熱交換器（４）で凝縮した液冷媒は、空気熱交換器（１２１）で過冷却され、この過冷却の液冷媒の一部が冷却熱交換器（４５）に流れて蒸発し、他の液冷媒が分岐通路（１２３）から室内熱交換器（４１）に流れて蒸発する。一方、上記第２運転の場合、室内熱交換器（４１）で凝縮した液冷媒は、空調系統の液管（１２）を経て空気熱交換器（１２１）で過冷却された後、冷却熱交換器（４５）に流れて蒸発する。
【００２２】
また、請求項８に係る発明は、請求項６において、上記過冷却手段（１００）は、空調系統の液管（１２）に設けられた過冷却熱交換器（１０１）と、該過冷却熱交換器（１０１）に接続されると共に、一端が空調系統の液管（１２）に接続され、他端が圧縮機構（２Ｄ，２Ｅ）の吸入側に接続され、液管（１２）の液冷媒から分岐した分岐冷媒で液管（１２）の液冷媒を過冷却するように冷媒が流れる過冷却通路（１０２）とにより構成されている。
【００２３】
上記の発明では、第１運転の場合、例えば、熱源側熱交換器（４）で凝縮した液冷媒が過冷却熱交換器（１０１）で過冷却され、室内熱交換器（４１）に流れて蒸発する。一方、上記第２運転の場合、室内熱交換器（４１）で凝縮した液冷媒は、過冷却熱交換器（１０１）で過冷却され、冷却熱交換器（４５）に流れて蒸発する。
【００２４】
また、請求項９に係る発明は、請求項８において、上記過冷却通路（１０２）は、膨張機構（１０４）を有して液管（１２）から液相の分岐冷媒を過冷却熱交換器（１０１）に導く上流側通路（１０３）と、過冷却熱交換器（１０１）で蒸発した分岐冷媒を圧縮機構（２Ｄ，２Ｅ）の吸入側に導く下流側通路（１０６）とを備えている。
【００２５】
上記の発明では、請求項３と同様に、液管（１２）の液冷媒が過冷却熱交換器（１０１）で確実に過冷却される。
【００２６】
【発明の実施の形態１】
以下、本発明の実施形態１を図面に基づいて詳細に説明する。
【００２７】
図１および図２に示すように、本実施形態１の冷凍装置（１）は、コンビニエンスストアに設けられ、ショーケース（庫内）の冷却と店内（室内）の冷暖房とを行うためのものである。
【００２８】
上記冷凍装置（１）は、熱源側である室外ユニット（１Ａ）と、利用側である室内ユニット（１Ｂ）と冷蔵ユニット（１Ｃ）と冷凍ユニット（１Ｄ）とを有し、蒸気圧縮式冷凍サイクルを行う冷媒回路（１Ｅ）を備えている。この冷媒回路（１Ｅ）は、室外ユニット（１Ａ）の熱源系統に冷蔵冷凍用の冷却系統が接続されて成る第１系統側回路と、室外ユニット（１Ａ）の熱源系統に空調用の空調系統が接続されて成る第２系統側回路とを備えている。また、上記冷媒回路（１Ｅ）は、冷房サイクルと暖房サイクルとに切り換わるように構成されている。
【００２９】
上記室内ユニット（１Ｂ）は、冷房運転と暖房運転とを切り換えて行うように構成され、例えば、売場などに設置される。また、上記冷蔵ユニット（１Ｃ）は、冷蔵用のショーケースに設置されて該ショーケースの庫内空気を冷却する。上記冷凍ユニット（１Ｄ）は、冷凍用のショーケースに設置されて該ショーケースの庫内空気を冷却する。
【００３０】
〈室外ユニット〉
上記室外ユニット（１Ａ）は、第１圧縮手段としてのインバータ圧縮機（２Ａ）と、第２圧縮手段としての第１ノンインバータ圧縮機（２Ｂ）と、第３圧縮手段としての第２ノンインバータ圧縮機（２Ｃ）とを備えると共に、第１四路切換弁（３Ａ）、第２四路切換弁（３Ｂ）、及び第３四路切換弁（３Ｃ）と、熱源側熱交換器である室外熱交換器（４）とを備えている。なお、上記インバータ圧縮機（２Ａ）、第１ノンインバータ圧縮機（２Ｂ）、・・・および室外熱交換器（４）は、熱源系統を構成している。
【００３１】
上記各圧縮機（２Ａ，２Ｂ，２Ｃ）は、例えば、密閉型の高圧ドーム型スクロール圧縮機で構成されている。上記インバータ圧縮機（２Ａ）は、電動機がインバータ制御されて容量が段階的又は連続的に可変となる可変容量圧縮機である。上記第１ノンインバータ圧縮機（２Ｂ）および第２ノンインバータ圧縮機（２Ｃ）は、電動機が常に一定回転数で駆動する定容量圧縮機である。
【００３２】
上記インバータ圧縮機（２Ａ）、第１ノンインバータ圧縮機（２Ｂ）および第２ノンインバータ圧縮機（２Ｃ）は、この冷凍装置（１）の圧縮機構（２Ｄ，２Ｅ）を構成し、該圧縮機構（２Ｄ，２Ｅ）は、第１系統の圧縮機構（２Ｄ）と第２系統の圧縮機構（２Ｅ）とから構成されている。具体的に、上記圧縮機構（２Ｄ，２Ｅ）は、運転時に、上記インバータ圧縮機（２Ａ）と第１ノンインバータ圧縮機（２Ｂ）とが第１系統の圧縮機構（２Ｄ）を構成し、第２ノンインバータ圧縮機（２Ｃ）が第２系統の圧縮機構（２Ｅ）を構成する場合と、上記インバータ圧縮機（２Ａ）が第１系統の圧縮機構（２Ｄ）を構成し、第１ノンインバータ圧縮機（２Ｂ）と第２ノンインバータ圧縮機（２Ｃ）とが第２系統の圧縮機構（２Ｅ）を構成する場合とがある。つまり、インバータ圧縮機（２Ａ）が冷蔵冷凍用の第１系統側回路に、第２ノンインバータ圧縮機（２Ｃ）が空調用の第２系統側回路に固定的に用いられる一方、第１ノンインバータ圧縮機（２Ｂ）は第１系統側回路と第２系統側回路とに切り換えて用いることができるようになっている。
【００３３】
上記インバータ圧縮機（２Ａ）、第１ノンインバータ圧縮機（２Ｂ）および第２ノンインバータ圧縮機（２Ｃ）の各吐出管（５ａ，５ｂ，５ｃ）は、１つの高圧ガス管（吐出配管）（８）に接続され、該高圧ガス管（８）が第１四路切換弁（３Ａ）の１つのポートに接続されている。上記第１ノンインバータ圧縮機（２Ｂ）の吐出管（５ｂ）および第２ノンインバータ圧縮機（２Ｃ）の吐出管（５ｃ）には、それぞれ逆止弁（７）が設けられている。
【００３４】
上記室外熱交換器（４）のガス側端部は、室外ガス管（９）を介して第１四路切換弁（３Ａ）の１つのポートに接続されている。上記室外熱交換器（４）の液側端部には、液ラインである高圧液管（１０）の一端が接続されている。該高圧液管（１０）の途中には、レシーバ（１４）が設けられ、高圧液管（１０）の他端は、液管である第１連絡液管（１１）と第２連絡液管（１２）とに分岐されている。
【００３５】
尚、上記室外熱交換器（４）は、例えば、クロスフィン式のフィン・アンド・チューブ型熱交換器であって、熱源ファンである室外ファン（４Ｆ）が近接して配置されている。
【００３６】
上記第１四路切換弁（３Ａ）の１つのポートには、連絡ガス管（１７）が接続されている。上記第１四路切換弁（３Ａ）の１つのポートは、接続管（１８）によって第２四路切換弁（３Ｂ）の１つのポートに接続されている。該第２四路切換弁（３Ｂ）の１つのポートは、補助ガス管（１９）によって第２ノンインバータ圧縮機（２Ｃ）の吐出管（５ｃ）に接続されている。また、第２四路切換弁（３Ｂ）の１つのポートは、第２ノンインバータ圧縮機（２Ｃ）の吸入管（６ｃ）が接続されている。尚、上記第２四路切換弁（３Ｂ）の１つのポートは、閉塞された閉鎖ポートに構成されている。つまり、上記第２四路切換弁（３Ｂ）は、三路切換弁であってもよい。
【００３７】
上記第１四路切換弁（３Ａ）は、高圧ガス管（８）と室外ガス管（９）とが連通し且つ接続管（１８）と連絡ガス管（１７）とが連通する第１状態（図１実線参照）と、高圧ガス管（８）と連絡ガス管（１７）とが連通し、且つ接続管（１８）と室外ガス管（９）とが連通する第２状態（図１破線参照）とに切り換わるように構成されている。
【００３８】
また、上記第２四路切換弁（３Ｂ）は、補助ガス管（１９）と閉鎖ポートとが連通し、且つ接続管（１８）と第２ノンインバータ圧縮機（２Ｃ）の吸入管（６ｃ）とが連通する第１状態（図１実線参照）と、補助ガス管（１９）と接続管（１８）とが連通し、且つ吸入管（６ｃ）と閉塞ポートとが連通する第２状態（図１破線参照）とに切り換わるように構成されている。
【００３９】
上記インバータ圧縮機（２Ａ）の吸入管（６ａ）は、第１系統側回路の低圧ガス管（１５）に接続されている。上記第２ノンインバータ圧縮機（２Ｃ）の吸入管（６ｃ）は、第１および第２の四路切換弁（３Ａ，３Ｂ）を介して第２系統側回路の連絡ガス管（１７）および室外ガス管（９）に接続されている。また、上記第１ノンインバータ圧縮機（２Ｂ）の吸入管（６ｂ）は、後述の第３四路切換弁（３Ｃ）を介してインバータ圧縮機（２Ａ）の吸入管（６ａ）および第２ノンインバータ圧縮機（２Ｃ）の吸入管（６ｃ）に接続されている。
【００４０】
具体的に、上記インバータ圧縮機（２Ａ）の吸入管（６ａ）には、分岐管（６ｄ）が接続され、第２ノンインバータ圧縮機（２Ｃ）の吸入管（６ｃ）には、分岐管（６ｅ）が接続されている。そして、上記インバータ圧縮機（２Ａ）の吸入管（６ａ）の分岐管（６ｄ）が逆止弁（７）を介して第３四路切換弁（３Ｃ）の第１ポート（Ｐ１）に接続され、第１ノンインバータ圧縮機（２Ｂ）の吸入管（６ｂ）が第３四路切換弁（３Ｃ）の第２ポート（Ｐ２）に接続され、第２ノンインバータ圧縮機（２Ｃ）の吸入管（６ｃ）の分岐管（６ｅ）が逆止弁（７）を介して第３四路切換弁（３Ｃ）の第３ポート（Ｐ３）に接続されている。また、上記第３四路切換弁（３Ｃ）の第４ポート（Ｐ４）には、後述する液封防止管（２８）の分岐管（２８ａ）が接続されている。上記分岐管（６ｄ，６ｅ）に設けられている逆止弁（７）は、第３四路切換弁（３Ｃ）へ向かう冷媒の流れのみを許容するものである。
【００４１】
上記第３四路切換弁（３Ｃ）は、第１ポート（Ｐ１）と第２ポート（Ｐ２）が連通し、且つ第３ポート（Ｐ３）と第４ポート（Ｐ４）が連通する第１の状態（図の実線参照）と、第１ポート（Ｐ１）と第４ポート（Ｐ４）が連通し、且つ第２ポート（Ｐ２）と第３ポート（Ｐ３）が連通する第２の状態（図の破線参照）とに切り換え可能に構成されている。
【００４２】
上記各吐出管（５ａ，５ｂ，５ｃ）と高圧ガス管（８）と室外ガス管（９）とが冷房運転時の高圧ガスライン（１Ｌ）を構成している。また、上記各吐出管（５ａ，５ｂ，５ｃ）と高圧ガス管（８）と連絡ガス管（１７）とが暖房運転時の高圧ガスライン（１Ｎ）を構成している。一方、上記低圧ガス管（１５）と第１系統の圧縮機構（２Ｄ）の各吸入管（６ａ，６ｂ）とが第１の低圧ガスライン（１Ｍ）を構成している。また、上記連絡ガス管（１７）と第２系統の圧縮機構（２Ｅ）の吸入管（６ｃ）とが冷房運転時の低圧ガスライン（１Ｎ）を構成し、室外ガス管（９）と吸入管（６ｃ）とが暖房運転時の低圧ガスライン（１Ｌ）を構成している。
【００４３】
上記第１連絡液管（１１）と第２連絡液管（１２）と連絡ガス管（１７）と低圧ガス管（１５）とは、室外ユニット（１Ａ）から外部に延長され、室外ユニット（１Ａ）内には、これらに対応して閉鎖弁（２０）が設けられている。さらに、上記第２連絡液管（１２）は、高圧液管（１０）からの分岐側端部に逆止弁（７）が設けられ、レシーバ（１４）から閉鎖弁（２０）に向かって冷媒が流れるように構成されている。
【００４４】
上記高圧液管（１０）には、レシーバ（１４）をバイパスする補助液管（２５）が接続されている。該補助液管（２５）は、主として暖房時に冷媒が流れ、膨張機構である室外膨張弁（２６）が設けられている。上記高圧液管（１０）における室外熱交換器（４）とレシーバ（１４）との間には、レシーバ（１４）に向かう冷媒の流れのみを許容する逆止弁（７）が設けられている。該逆止弁（７）は、高圧液管（１０）における補助液管（２５）の接続部とレシーバ（１４）との間に位置している。
【００４５】
上記高圧液管（１０）には、該高圧液管（１０）の逆止弁（７）とレシーバ（１４）との間から分岐し、第２連絡液管（１２）における閉鎖弁（２０）と逆止弁（７）との間に接続された分岐液管（３６）が接続されている。該分岐液管（３６）には、第２連絡液管（１２）からレシーバ（１４）へ向かう冷媒の流れのみを許容する逆止弁（７）が設けられている。
【００４６】
上記補助液管（２５）と低圧ガス管（１５）との間には、リキッドインジェクション管（２７）が接続されている。該リキッドインジェクション管（２７）には、電子膨張弁（２９）が設けられている。また、該リキッドインジェクション管（２７）における補助液管（２５）の接続点と電子膨張弁（２９）との間と、高圧ガス管（８）との間には、液封防止管（２８）が接続されている。この液封防止管（２８）には、リキッドインジェクション管（２７）から高圧ガス管（８）へ向かう冷媒の流れのみを許容する逆止弁（７）が設けられている。また、上述したように、この液封防止管（２８）の分岐管（２８ａ）は、第３四路切換弁（３Ｃ）の第４ポート（Ｐ４）に接続されている。
【００４７】
上記高圧ガス管（８）には、オイルセパレータ（３０）が設けられている。該オイルセパレータ（３０）には、油戻し管（３１）の一端が接続されている。該油戻し管（３１）は、他端が第１油戻し管（３１ａ）と第２油戻し管（３１ｂ）とに分岐している。上記第１油戻し管（３１ａ）は、電磁弁（ＳＶ０）を有し、リキッドインジェクション管（２７）を介してインバータ圧縮機（２Ａ）の吸入管（６ａ）に接続されている。また、上記第２油戻し管（３１ｂ）は、電磁弁（ＳＶ４）を有し、第２ノンインバータ圧縮機（２Ｃ）の吸入管（６ｃ）に接続されている。
【００４８】
上記インバータ圧縮機（２Ａ）のドーム（油溜まり）と第１ノンインバータ圧縮機（２Ｂ）の吸入管（６ｂ）との間には、第１均油管（３２）が接続されている。上記第１ノンインバータ圧縮機（２Ｂ）のドームと第２ノンインバータ圧縮機（２Ｃ）の吸入管（６ｃ）との間には、第２均油管（３３）が接続されている。上記第２ノンインバータ圧縮機（２Ｃ）のドームとインバータ圧縮機（２Ａ）の吸入管（６ａ）との間には、第３均油管（３４）が接続されている。上記第１均油管（３２）、第２均油管（３３）および第３均油管（３４）には、それぞれ開閉機構として電磁弁（ＳＶ１，ＳＶ２，ＳＶ３）が設けられている。また、上記第２均油管（３３）は、第１ノンインバータ圧縮機（２Ｂ）のドームと電磁弁（ＳＶ２）との間で第４均油管（３５）に分岐している。該第４均油管（３５）は、電磁弁（ＳＶ５）を有し、第１圧縮機（２Ａ）の吸入管（６ａ）に接続されている。
【００４９】
〈室内ユニット〉
上記室内ユニット（１Ｂ）は、利用側熱交換器である室内熱交換器（４１）と膨張機構である室内膨張弁（４２）とを備えている。この室内膨張弁（４２）には、電子膨張弁が用いられている。上記室内熱交換器（４１）のガス側端部には、連絡ガス管（１７）が接続されている。一方、上記室内熱交換器（４１）の液側端部には、室内膨張弁（４２）を介して第２連絡液管（１２）が接続されている。尚、上記室内熱交換器（４１）は、例えば、クロスフィン式のフィン・アンド・チューブ型熱交換器であって、利用側ファンである室内ファン（４３）が近接して配置されている。また、上記室内ユニット（１Ｂ）、第２連絡液管（１２）および連絡ガス管（１７）は、空調系統を構成している。
【００５０】
〈冷蔵ユニット〉
上記冷蔵ユニット（１Ｃ）は、冷却熱交換器である冷蔵熱交換器（４５）と膨張機構である冷蔵膨張弁（４６）とを備えている。この冷蔵膨張弁（４６）には、電子膨張弁が用いられている。上記冷蔵熱交換器（４５）の液側端部には、冷蔵膨張弁（４６）を介して第１連絡液管（１１）が接続されている。一方、上記冷蔵熱交換器（４５）のガス側端部には、低圧ガス管（１５）が接続されている。
【００５１】
上記冷蔵熱交換器（４５）は、第１系統の圧縮機構（２Ｄ）の吸込側に連通する一方、上記室内熱交換器（４１）は、冷房運転時に第２ノンインバータ圧縮機（２Ｃ）の吸込側に連通している。上記冷蔵熱交換器（４５）の冷媒圧力（蒸発圧力）は室内熱交換器（４１）の冷媒圧力（蒸発圧力）より低くなる。この結果、上記冷蔵熱交換器（４５）の冷媒蒸発温度は、例えば、−１０℃となり、室内熱交換器（４１）の冷媒蒸発温度は、例えば、＋５℃となって冷媒回路（１Ｅ）が異温度蒸発の回路を構成している。
【００５２】
尚、上記冷蔵熱交換器（４５）は、例えば、クロスフィン式のフィン・アンド・チューブ型熱交換器であって、冷却ファンである冷蔵ファン（４７）が近接して配置されている。
【００５３】
〈冷凍ユニット〉
上記冷凍ユニット（１Ｄ）は、冷却熱交換器である冷凍熱交換器（５１）と、膨張機構である冷凍膨張弁（５２）と、冷凍圧縮機であるブースタ圧縮機（５３）とを備えている。この冷凍膨張弁（５２）には、電子膨張弁が用いられている。上記冷凍熱交換器（５１）の液側端部には、第１連絡液管（１１）より分岐した分岐液管（１３）が冷凍膨張弁（５２）を介して接続されている。
【００５４】
上記冷凍熱交換器（５１）のガス側端部とブースタ圧縮機（５３）の吸込側とは、接続ガス管（５４）によって接続されている。上記ブースタ圧縮機（５３）の吐出側には、低圧ガス管（１５）より分岐した分岐ガス管（１６）が接続されている。該分岐ガス管（１６）には、逆止弁（７）とオイルセパレータ（５５）とが設けられている。上記逆止弁（７）は、ブースタ圧縮機（５３）から低圧ガス管（１５）へ向かう冷媒の流れのみを許容するように構成されている。また、上記オイルセパレータ（５５）と接続ガス管（５４）との間には、キャピラリチューブ（５６）を有する油戻し管（５７）が接続されている。
【００５５】
上記ブースタ圧縮機（５３）は、冷凍熱交換器（５１）の冷媒蒸発温度が冷蔵熱交換器（４５）の冷媒蒸発温度より低くなるように第１系統の圧縮機構（２Ｄ）との間で冷媒を２段圧縮している。上記冷凍熱交換器（５１）の冷媒蒸発温度は、例えば、−４０℃に設定されている。
【００５６】
尚、上記冷凍熱交換器（５１）は、例えば、クロスフィン式のフィン・アンド・チューブ型熱交換器であって、冷却ファンである冷凍ファン（５８）が近接して配置されている。
【００５７】
また、上記ブースタ圧縮機（５３）の吸込側である接続ガス管（５４）とブースタ圧縮機（５３）の吐出側である分岐ガス管（１６）における逆止弁（７）の下流側との間には、逆止弁（７）を有するバイパス管（５９）が接続されている。該逆止弁（７）およびバイパス管（５９）は、ブースタ圧縮機（５３）の故障等の停止時に該ブースタ圧縮機（５３）をバイパスして冷媒が接続ガス管（５４）から分岐ガス管（１６）へ流れるように構成されている。
【００５８】
上記冷蔵ユニット（１Ｃ）、冷凍ユニット（１Ｄ）、第１連絡液管（１１）および低圧ガス管（１５）は、冷却系統を構成している。
【００５９】
〈制御系統〉
上記冷媒回路（１Ｅ）には、各種センサ及び各種スイッチが設けられている。上記室外ユニット（１Ａ）の高圧ガス管（８）には、高圧冷媒圧力を検出する圧力検出手段である高圧圧力センサ（６１）と、高圧冷媒温度を検出する温度検出手段である吐出温度センサ（６２）とが設けられている。上記第２ノンインバータ圧縮機（２Ｃ）の吐出管（５ｃ）には、高圧冷媒温度を検出する温度検出手段である吐出温度センサ（６３）が設けられている。また、上記インバータ圧縮機（２Ａ）、第１ノンインバータ圧縮機（２Ｂ）および第２ノンインバータ圧縮機（２Ｃ）の各吐出管（５ａ，５ｂ，５ｃ）には、それぞれ高圧冷媒圧力が所定値になると開く圧力スイッチ（６４）が設けられている。
【００６０】
上記低圧ガス管（１５）と、第２ノンインバータ圧縮機（２Ｃ）の吸入管（６ｃ）とには、それぞれ低圧冷媒圧力を検出する圧力検出手段である低圧圧力センサ（６５，６６）が設けられている。また、上記インバータ圧縮機（２Ａ）および第２ノンインバータ圧縮機（２Ｃ）の各吸入管（６ａ，６ｃ）には、それぞれ低圧冷媒温度を検出する温度検出手段である吸入温度センサ（６７，６８）が設けられている。
【００６１】
また、上記室外ユニット（１Ａ）には、室外空気温度を検出する温度検出手段である外気温センサ（７０）が設けられている。
【００６２】
上記室内熱交換器（４１）には、室内熱交換器（４１）における冷媒温度である凝縮温度または蒸発温度を検出する温度検出手段としての室内熱交換センサ（７１）が設けられると共に、ガス側にガス冷媒温度を検出する温度検出手段であるガス温センサ（７２）が設けられている。また、上記室内ユニット（１Ｂ）には、室内空気温度を検出する温度検出手段である室温センサ（７３）が設けられている。
【００６３】
上記冷蔵ユニット（１Ｃ）には、冷蔵用のショーケース内の庫内温度を検出する温度検出手段である冷蔵温度センサ（７４）が設けられている。また、上記冷蔵熱交換器（４５）には、冷蔵熱交換器（４５）における冷媒温度である蒸発温度を検出する温度検出手段としての冷蔵熱交換センサ（７６）が設けられると共に、ガス側にガス温センサ（７７）が設けられている。
【００６４】
上記冷凍ユニット（１Ｄ）には、冷凍用のショーケース内の庫内温度を検出する温度検出手段である冷凍温度センサ（７５）が設けられている。また、上記冷凍熱交換器（５１）には、冷凍熱交換器（５１）における冷媒温度である蒸発温度を検出する温度検出手段としての冷凍熱交換センサ（７８）が設けられると共に、ガス側にガス温センサ（７９）が設けられている。ブースタ圧縮機（５３）の吐出側には、吐出冷媒圧力が所定値になると開く圧力スイッチ（６４）が設けられている。
【００６５】
上記各種センサ及び各種スイッチの出力信号は、コントローラ（８０）に入力される。このコントローラ（８０）は、上記出力信号に基づいて冷媒回路（１Ｅ）の運転を制御し、各種運転モードを切り換えて制御するように構成されている。
【００６６】
〈過冷却手段〉
上記第１連絡液管（１１）および第２連絡液管（１２）には、本発明の特徴として、それぞれ第１過冷却手段（１１０）および第２過冷却手段（１００）が設けられている。上記第１過冷却手段（１１０）は、第１過冷却熱交換器（１１１）および第１過冷却通路（１１２）を備え、第２過冷却手段（１００）は、第２過冷却熱交換器（１０１）および第２過冷却通路（１０２）を備えている。
【００６７】
具体的に、上記第１過冷却熱交換器（１１１）は、第１連絡液管（１１）に接続されている。上記第１過冷却通路（１１２）は、第１過冷却熱交換器（１１１）内に配管された第１内部通路（１１５）と、第１連絡液管（１１）から分岐して第１内部通路（１１５）の一端に接続された第１上流側通路（１１３）と、第１内部通路（１１５）の他端と低圧ガス管（１５）とに接続された第１下流側通路（１１６）とを備えている。また、上記第１上流側通路（１１３）には、膨張機構である第１過冷却膨張弁（１１４）が設けられている。
【００６８】
一方、上記第２過冷却熱交換器（１０１）は、第２連絡液管（１２）に接続されている。上記第２過冷却通路（１０２）は、第２過冷却熱交換器（１０１）内に配管された第２内部通路（１０５）と、第２連絡液管（１２）から分岐して第２内部通路（１０５）の一端に接続された第２上流側通路（１０３）と、第２内部通路（１０５）の他端と第１下流側通路（１１６）とに接続された第２下流側通路（１０６）とを備えている。また、上記第２上流側通路（１０３）には、膨張機構である第２過冷却膨張弁（１０４）が設けられている。
【００６９】
上記各過冷却手段（１１０，１００）は、それぞれ連絡液管（１１，１２）から分岐した液冷媒が上流側通路（１１３，１０３）を通って過冷却熱交換器（１１１，１０１）内の内部通路（１１５，１０５）に流入し、連絡液管（１１，１２）の液冷媒を過冷却して蒸発し、下流側通路（１１６，１０６）から低圧ガス管（１５）に流れ、圧縮機構（２Ｄ）に吸入されるように構成されている。つまり、上記冷媒回路（１Ｅ）は、空調系統および冷却系統の液管にそれぞれ個別に液管を流れる液冷媒を過冷却する過冷却手段（１１０，１００）を設けている。また、上記空調系統および冷却系統の各過冷却手段（１１０，１００）で過冷却して蒸発した冷媒は、共に圧縮機構（２Ｄ）の吸入側に流れる。
【００７０】
−運転動作−
次に、上述した冷凍装置（１）の運転動作について説明する。この冷凍装置（１）は、室外熱交換器（４）が凝縮器として、室内熱交換器（４１）、冷蔵熱交換器（４５）および冷凍熱交換器（５１）が蒸発器として機能する第１運転、つまり室内ユニット（１Ｂ）の冷房と冷蔵ユニット（１Ｃ）及び冷凍ユニット（１Ｄ）の冷却とを同時に行う冷房冷凍運転と、室内熱交換器（４１）が凝縮器として、室外熱交換器（４）、冷蔵熱交換器（４５）および冷凍熱交換器（５１）が蒸発器として機能する第２運転、つまり室内ユニット（１Ｂ）の暖房と冷蔵ユニット（１Ｃ）及び冷凍ユニット（１Ｄ）の冷却とを同時に行う暖房冷凍運転とが可能に構成されている。
【００７１】
以下、それぞれの運転動作について具体的に説明する。
【００７２】
《冷房冷凍運転》
この冷房冷凍運転は、室内ユニット（１Ｂ）の冷房と冷蔵ユニット（１Ｃ）および冷凍ユニット（１Ｄ）の冷却とを同時に行う運転である。この冷房冷凍運転時は、図１に示すように、インバータ圧縮機（２Ａ）と第１ノンインバータ圧縮機（２Ｂ）とが第１系統の圧縮機構（２Ｄ）を構成し、第２ノンインバータ圧縮機（２Ｃ）が第２系統の圧縮機構（２Ｅ）を構成する。そして、上記インバータ圧縮機（２Ａ）、第１ノンインバータ圧縮機（２Ｂ）および第２ノンインバータ圧縮機（２Ｃ）を駆動すると共に、ブースタ圧縮機（５３）も駆動する。
【００７３】
また、上記第１四路切換弁（３Ａ）、第２四路切換弁（３Ｂ）および第３四路切換弁（３Ｃ）は、図１の実線で示すように、それぞれ第１の状態に切り換わる。さらに、上記室内膨張弁（４２）、冷蔵膨張弁（４６）および冷凍膨張弁（５２）が所定開度に開口される一方、室外膨張弁（２６）は閉鎖している。また、上記リキッドインジェクション管（２７）の電子膨張弁（２９）は、例えば、吸入温度センサ（６７）の検出温度が所定値になると、冷却系統用の圧縮機構（２Ｄ）の吸入側に所定流量の液冷媒を流すように所定開度に設定されている。
【００７４】
この状態において、インバータ圧縮機（２Ａ）と第１ノンインバータ圧縮機（２Ｂ）と第２ノンインバータ圧縮機（２Ｃ）から吐出した冷媒は、高圧ガス管（８）で合流し、第１四路切換弁（３Ａ）から室外ガス管（９）を経て室外熱交換器（４）に流れて凝縮する。この凝縮した液冷媒は、高圧液管（１０）を流れ、レシーバ（１４）を経て第１連絡液管（１１）と第２連絡液管（１２）とに分かれて流れる。
【００７５】
上記第２連絡液管（１２）を流れる液冷媒の一部は、第２上流側通路（１０３）に分流して第２過冷却膨張弁（１０４）で減圧された後、第２過冷却熱交換器（１０１）に流れて第２連絡液管（１２）の液冷媒を過冷却し蒸発する。この蒸発したガス冷媒は、第２下流側通路（１０６）から第１下流側通路（１１６）を経て低圧ガス管（１５）に流れる。一方、上記第２過冷却熱交換器（１０１）で過冷却された液冷媒は、第２連絡液管（１２）から室内膨張弁（４２）を経て室内熱交換器（４１）に流れて蒸発する。この蒸発したガス冷媒は、連絡ガス管（１７）から第１四路切換弁（３Ａ）及び第２四路切換弁（３Ｂ）を経て吸入管（６ｃ）を流れて第２ノンインバータ圧縮機（２Ｃ）に戻る。
【００７６】
一方、上記第１連絡液管（１１）を流れる液冷媒の一部は、第１上流側通路（１１３）に分流して第１過冷却膨張弁（１１４）で減圧された後、第１過冷却熱交換器（１１１）に流れて第１連絡液管（１１）の液冷媒を過冷却し蒸発する。この蒸発したガス冷媒は、第１下流側通路（１１６）で第２下流側通路（１０６）のガス冷媒と合流して低圧ガス管（１５）に流れる。一方、上記第１過冷却熱交換器（１１１）で過冷却された液冷媒の一部は、第１連絡液管（１１）から冷蔵膨張弁（４６）を経て冷蔵熱交換器（４５）に流れて蒸発する。また、上記第１過冷却熱交換器（１１１）で過冷却された液冷媒の残りは、分岐液管（１３）に分流し、冷凍膨張弁（５２）を経て冷凍熱交換器（５１）に流れて蒸発する。この冷凍熱交換器（５１）で蒸発したガス冷媒は、ブースタ圧縮機（５３）に吸引されて圧縮され、分岐ガス管（１６）に吐出される。
【００７７】
上記冷蔵熱交換器（４５）で蒸発したガス冷媒とブースタ圧縮機（５３）から吐出されたガス冷媒とは、低圧ガス管（１５）で合流した後、上述の各過冷却熱交換器（１１１，１０１）で蒸発したガス冷媒と合流し、例えば、吸入温度センサ（６７）の検出温度が所定値になった場合、さらにリキッドインジェクション管（２７）からの液冷媒が混合されてインバータ圧縮機（２Ａ）および第１ノンインバータ圧縮機（２Ｂ）に戻る。この循環を繰り返し、店内を冷房すると同時に、冷蔵用ショーケースと冷凍用ショーケースの庫内を冷却する。
【００７８】
〈冷房冷凍能力〉
この冷房冷凍運転における冷媒挙動を図３に基づいて説明する。
【００７９】
まず、上記第２ノンインバータ圧縮機（２Ｃ）によって冷媒がＡ点まで圧縮される。また、上記インバータ圧縮機（２Ａ）および第１ノンインバータ圧縮機（２Ｂ）によって冷媒がＢ点まで圧縮される。Ａ点の冷媒とＢ点の冷媒とは合流し、凝縮してＣ１点の冷媒となる。このＣ１点の冷媒の一部は、過冷却手段（１００，１１０）により、過冷却の状態（Ｃ２点）になる。一方、Ｃ１点の他の冷媒は、過冷却手段（１００，１１０）によって減圧し、Ｅ１点の冷媒となる。
【００８０】
上記Ｃ２点の冷媒の一部は、室内膨張弁（４２）でＤ点まで減圧し、例えば、＋５℃で蒸発し、Ｅ点で第２ノンインバータ圧縮機（２Ｃ）に吸引される。
【００８１】
また、上記Ｃ２点の冷媒の一部は、冷蔵膨張弁（４６）でＥ２点まで減圧し、例えば、−１０℃で蒸発し、Ｅ１点の冷媒と合流してＦ点でインバータ圧縮機（２Ａ）および第１ノンインバータ圧縮機（２Ｂ）に吸引される。
【００８２】
上記Ｃ２点の冷媒の一部は、冷凍膨張弁（５２）でＨ点まで減圧し、例えば、−３５℃で蒸発し、Ｉ点でブースタ圧縮機（５３）に吸引される。ブースタ圧縮機（５３）でＪ点まで圧縮された冷媒は、冷蔵熱交換器（４５）からの冷媒と合流してＦ点でインバータ圧縮機（２Ａ）および第１ノンインバータ圧縮機（２Ｂ）に吸引される。
【００８３】
このように、冷媒回路（１Ｅ）の冷媒は、第１系統の圧縮機構（２Ｄ）と第２系統の圧縮機構（２Ｅ）によって異温度蒸発し、さらに、ブースタ圧縮機（５３）による２段圧縮によって３種類の蒸発温度となる。
【００８４】
また、この運転中で循環する液冷媒は、それぞれ空調系統の第２過冷却手段（１００）および冷却系統の第１過冷却手段（１１０）によって過冷却される。このため、過冷却をしない場合よりも、室内熱交換器（４１）、冷蔵熱交換器（４５）および冷凍熱交換器（５１）における冷媒の熱量が大きくなり、高い冷房能力および冷却能力が発揮される。
【００８５】
また、上記冷媒回路（１Ｅ）では、空調系統および冷却系統のそれぞれに、個別の過冷却手段（１００，１１０）を設けているので、例えば、冷却系統における冷蔵用ショーケースの庫内温度が所定値以下となり冷蔵温度センサ（７４）の作動によって、冷蔵膨張弁（４６）が閉じて冷蔵熱交換器（４５）における冷媒の循環が停止した場合でも、空調系統における室内熱交換器（４１）には、第２過冷却手段（１００）によって過冷却された液冷媒が流入する。したがって、冷蔵ユニット（１Ｃ）および冷凍ユニット（１Ｄ）の運転状況に拘わらず、室内ユニット（１Ｂ）における冷房能力を向上させることができる。
【００８６】
また、上記インバータ圧縮機（２Ａ）および第１ノンインバータ圧縮機（２Ｂ）に戻るガス冷媒は、各過冷却手段（１００，１１０）で蒸発したガス冷媒と混合することにより過熱度が大きくなるが、この混合したガス冷媒には、リキッドインジェクション管（２７）からの液冷媒が混合されるため、インバータ圧縮機（２Ａ）および第１ノンインバータ圧縮機（２Ｂ）における冷媒の過熱を抑制することができる。
【００８７】
《暖房冷凍運転》
この暖房冷凍運転は、室内ユニット（１Ｂ）の暖房と冷蔵ユニット（１Ｃ）および冷凍ユニット（１Ｄ）の冷却を同時に行う運転である。この暖房冷凍運転は、図２に示すように、インバータ圧縮機（２Ａ）と第１ノンインバータ圧縮機（２Ｂ）とが第１系統の圧縮機構（２Ｄ）を構成し、第２ノンインバータ圧縮機（２Ｃ）が第２系統の圧縮機構（２Ｅ）を構成する。そして、上記インバータ圧縮機（２Ａ）、第１ノンインバータ圧縮機（２Ｂ）および第２ノンインバータ圧縮機（２Ｃ）を駆動すると共に、ブースタ圧縮機（５３）も駆動する。
【００８８】
また、図２の実線で示すように、第１四路切換弁（３Ａ）は第２の状態に切り換わり、第２四路切換弁（３Ｂ）および第３四路切換弁（３Ｃ）は第１の状態に切り換わる。さらに、上記室外膨張弁（２６）、冷蔵膨張弁（４６）および冷凍膨張弁（５２）が所定開度に開口する一方、室内膨張弁（４２）は全開となる。また、上記リキッドインジェクション管（２７）の電子膨張弁（２９）は、例えば、吸入温度センサ（６７）の検出温度が所定値になると、冷却系統用の圧縮機構（２Ｄ）の吸入側に所定流量の液冷媒を流すように所定開度に設定されている。
【００８９】
この状態において、インバータ圧縮機（２Ａ）と第１ノンインバータ圧縮機（２Ｂ）と第２ノンインバータ圧縮機（２Ｃ）から吐出した冷媒は、高圧ガス管（８）で合流し、第１四路切換弁（３Ａ）から連絡ガス管（１７）を経て室内熱交換器（４１）に流れて凝縮する。この凝縮した液冷媒は、第２連絡液管（１２）に流れる。
【００９０】
上記第２連絡液管（１２）を流れた液冷媒の一部は、上述した冷蔵冷凍運転時と同様に、第２上流側通路（１０３）に分流して第２過冷却膨張弁（１０４）で減圧された後、第２過冷却熱交換器（１０１）に流れて第２連絡液管（１２）の液冷媒を過冷却し蒸発する。この蒸発したガス冷媒は、第２下流側通路（１０６）から第１下流側通路（１１６）を経て低圧ガス管（１５）に流れる。一方、上記第２過冷却熱交換器（１０１）で過冷却された液冷媒は、第２連絡液管（１２）からレシーバ（１４）を経て高圧液管（１０）に流れる。
【００９１】
この高圧液管（１０）に流れた液冷媒の一部は、補助液管（２５）から室外膨張弁（２６）を経て室外熱交換器（４）に流れて蒸発する。この蒸発したガス冷媒は、室外ガス管（９）から第１四路切換弁（３Ａ）および第２四路切換弁（３Ｂ）を経て吸入管（６ｃ）を流れて第２ノンインバータ圧縮機（２Ｃ）に戻る。
【００９２】
一方、上記高圧液管（１０）に流れた液冷媒の残りは、第１連絡液管（１１）に流れる。この第１連絡液管（１１）に流れた液冷媒の一部は、上述した冷蔵冷凍運転時と同様に、第１上流側通路（１１３）に分流して第１過冷却膨張弁（１１４）で減圧された後、第１過冷却熱交換器（１１１）に流れて第１連絡液管（１１）の液冷媒を過冷却し蒸発する。この蒸発したガス冷媒は、第１下流側通路（１１６）で第２下流側通路（１０６）のガス冷媒と合流して低圧ガス管（１５）に流れる。一方、上記第１過冷却熱交換器（１１１）で過冷却された液冷媒の一部は、第１連絡液管（１１）から冷蔵膨張弁（４６）を経て冷蔵熱交換器（４５）に流れて蒸発する。また、上記第１過冷却熱交換器（１１１）で過冷却された液冷媒の残りは、分岐液管（１３）に分流し、冷凍膨張弁（５２）を経て冷凍熱交換器（５１）に流れて蒸発する。この冷凍熱交換器（５１）で蒸発したガス冷媒は、ブースタ圧縮機（５３）に吸引されて圧縮され、分岐ガス管（１６）に吐出される。
【００９３】
上記冷蔵熱交換器（４５）で蒸発したガス冷媒とブースタ圧縮機（５３）から吐出されたガス冷媒とは、低圧ガス管（１５）で合流した後、上述の各過冷却熱交換器（１１１，１０１）で蒸発したガス冷媒と合流し、例えば、吸入温度センサ（６７）の検出温度が所定値になった場合、さらにリキッドインジェクション管（２７）からの液冷媒が混合されてインバータ圧縮機（２Ａ）および第１ノンインバータ圧縮機（２Ｂ）に戻る。この循環を繰り返し、店内を暖房すると同時に、冷蔵用ショーケースと冷凍用ショーケースの庫内を冷却する。
【００９４】
なお、この運転状態では、室内の暖房負荷や冷蔵ユニット（１Ｃ）および冷凍ユニット（１Ｄ）の冷却負荷に応じて、第１ノンインバータ圧縮機（２Ｂ）と第２ノンインバータ圧縮機（２Ｃ）の起動と停止や、室外膨張弁（２６）の開度などが制御される。圧縮機（２Ｂ、２Ｃ）は１台のみを運転することも可能である。
【００９５】
〈暖房冷凍能力〉
この暖房冷凍運転における冷媒挙動を図４に基づいて説明する。
【００９６】
まず、上記第２ノンインバータ圧縮機（２Ｃ）によって冷媒がＡ点まで圧縮される。また、上記インバータ圧縮機（２Ａ）および第１ノンインバータ圧縮機（２Ｂ）によって冷媒がＢ点まで圧縮される。Ａ点の冷媒とＢ点の冷媒とは合流し、凝縮してＣ１点の冷媒となる。このＣ１点の冷媒の一部は、第２過冷却手段（１００）により、過冷却の状態（Ｃ２点）になる。一方、上記Ｃ１点の他の冷媒は、第２過冷却手段（１００）によって減圧し、Ｅ１点の冷媒となる。
【００９７】
上記Ｃ２点の冷媒の一部は、室外膨張弁（２６）でＤ点まで減圧し、例えば、＋５℃で蒸発し、Ｅ点で第２ノンインバータ圧縮機（２Ｃ）に吸引される。
【００９８】
また、上記Ｃ２点の冷媒の一部は、第１過冷却手段（１１０）により、さらに過冷却の状態（Ｃ３点）になる。一方、上記Ｃ２点の冷媒の一部は、第１過冷却手段（１１０）によって減圧し、Ｅ２点の冷媒となる。
【００９９】
上記Ｃ３点の冷媒の一部は、冷蔵膨張弁（４６）でＥ３点まで減圧し、例えば、−１０℃で蒸発し、Ｅ１点およびＥ２点の冷媒と合流してＦ点でインバータ圧縮機（２Ａ）および第１ノンインバータ圧縮機（２Ｂ）に吸引される。
【０１００】
上記Ｃ３点の冷媒の一部は、冷凍膨張弁（５２）でＨ点まで減圧し、例えば、−３５℃で蒸発し、Ｉ点でブースタ圧縮機（５３）に吸引される。ブースタ圧縮機（５３）でＪ点まで圧縮された冷媒は、冷蔵熱交換器（４５）からの冷媒と合流してＦ点でインバータ圧縮機（２Ａ）および第１ノンインバータ圧縮機（２Ｂ）に吸引される。
【０１０１】
つまり、この暖房冷凍運転では、冷蔵熱交換器（４５）および冷凍熱交換器（５１）に流れる液冷媒が第１過冷却手段（１１０）と第２過冷却手段（１００）とで２回過冷却される。したがって、上記冷蔵ユニット（１Ｃ）と冷凍ユニット（１Ｄ）における冷却能力がさらに向上する。
【０１０２】
また、この暖房冷凍運転では、室内熱交換器（４１）で凝縮した液冷媒の一部が冷蔵ユニット（１Ｃ）および冷凍ユニット（１Ｄ）で蒸発するので、つまり室内熱交換器（４１）で発生した凝縮熱量の一部が冷蔵ユニット（１Ｃ）および冷凍ユニット（１Ｄ）における必要な蒸発熱量に変えられるので、熱回収が行われていることになる。
【０１０３】
また、上記空調系統における第２連絡液管（１２）の第２過冷却手段（１００）で蒸発したガス冷媒が常に冷却系統用の圧縮機構（２Ｄ）の吸入側に流入するようにしたので、室内ユニット（１Ｂ）における冷暖切換により圧縮機構（２Ｅ）の吐出ラインと吸入ラインとが切り換わっても、上記ガス冷媒の流入先を切り換える必要がない。したがって、ガス冷媒の流入先を切り換えるための切換手段等が不要になり、冷媒回路（１Ｅ）のコンパクト化を図ることができる。
【０１０４】
また、上記インバータ圧縮機（２Ａ）および第１ノンインバータ圧縮機（２Ｂ）に戻るガス冷媒は、各過冷却手段（１００，１１０）で蒸発したガス冷媒と混合することにより過熱度が大きくなるが、この混合したガス冷媒には、上述した冷房冷凍運転時と同様に、リキッドインジェクション管（２７）からの液冷媒が混合されるため、インバータ圧縮機（２Ａ）および第１ノンインバータ圧縮機（２Ｂ）における冷媒の過熱を抑制することができる。
【０１０５】
−実施形態の効果−
以上説明したように、本実施形態１によれば、冷媒回路（１Ｅ）に過冷却手段（１００，１１０）を設け、室内ユニット（１Ｂ）が冷房運転時において、室内熱交換器（４１）、冷蔵熱交換器（４５）および冷凍熱交換器（５１）に過冷却の液冷媒を流すようにしたので、過冷却をしない場合よりも、室内熱交換器（４１）、冷蔵熱交換器（４５）および冷凍熱交換器（５１）における冷媒の熱量が大きくなり、高い冷房能力および冷却能力を得ることができる。
【０１０６】
また、上記空調系統および冷却系統の連絡液管（１２，１１）のそれぞれに、個別に各過冷却手段（１００，１１０）を設けるようにしたために、冷却系統である冷蔵ユニット（１Ｃ）および冷凍ユニット（１Ｄ）の運転状況に関係なく、室内ユニット（１Ｂ）における冷房能力を向上させることができる。
【０１０７】
また、上記室内ユニット（１Ｂ）が暖房運転時において、冷蔵熱交換器（４５）および冷凍熱交換器（５１）に流れる液冷媒が第１過冷却手段（１１０）と第２過冷却手段（１００）とで２回過冷却されるので、上記冷蔵ユニット（１Ｃ）と冷凍ユニット（１Ｄ）における冷却能力をさらに向上させることができる。
【０１０８】
また、上記室内ユニット（１Ｂ）が暖房運転時において、室内熱交換器（４１）で凝縮した液冷媒の一部を冷蔵ユニット（１Ｃ）および冷凍ユニット（１Ｄ）で蒸発させるようにしたので、熱回収を行うことができ、装置の効率化を図ることができる。
【０１０９】
また、冷媒回路（１Ｅ）を循環する液冷媒の一部を冷却系統用の圧縮機構（２Ｄ）の吸入側に供給するリキッドインジェクション管（２７）を設けるようにしたので、圧縮機構（２Ｄ）に吸入されるガス冷媒が各過冷却手段（１００，１１０）で蒸発したガス冷媒と混合することによりガス冷媒の過熱度が増大した場合でも、リキッドインジェクションをすることによって、圧縮機構（２Ｄ）における冷媒の過熱を抑制できる。
【０１１０】
また、上記空調系統における第２過冷却手段（１００）で蒸発したガス冷媒を常に冷却系統用の圧縮機構（２Ｄ）の吸入側に流すようにしたので、室内ユニット（１Ｂ）における冷暖切換により圧縮機構（２Ｅ）の吐出ラインと吸入ラインとが切り換わっても、上記ガス冷媒の流入先を切り換える必要がない。したがって、ガス冷媒の流入先を切り換えるための切換手段等が不要になり、冷媒回路（１Ｅ）のコンパクト化を図ることができる。
【０１１１】
【発明の実施の形態２】
次に、本発明の実施形態２を図面に基づいて詳細に説明する。
【０１１２】
本実施形態２は、図５および図６に示すように、上記実施形態１が過冷却手段（１１０，１００）を第１連絡液管（１１）および第２連絡液管（１２）のそれぞれに設けたのに代えて、過冷却手段である空気熱交換器（１２１）を冷却系統における第１連絡液管（１１）のみに設け、第１連絡液管（１１）および第２連絡液管（１２）の配管構成を変更したものである。
【０１１３】
具体的に、上記過冷却手段（１００）は、空気熱交換器（１２１）を構成し、第１連絡液管（１１）に接続されている。上記空気熱交換器（１２１）は、空気が空気熱交換器（１２１）を流れる液冷媒を過冷却するように構成されている。なお、上記空気熱交換器（１２１）は、例えば、クロスフィン式のフィン・アンド・チューブ型熱交換器であって、過冷却ファン（１２２）が近接して配置されている。
【０１１４】
また、上記空調系統の第２連絡液管（１２）には、室内熱交換器（４１）から室外ユニット（１Ａ）に向かう冷媒の流れのみを許容する逆止弁（１２５）が設けられている。さらに、上記第２連絡液管（１２）には、キャピラリチューブ（１２７）を有して逆止弁（１２５）をバイパスする液バイパス管（１２６）が接続されている。
【０１１５】
また、上記第１連絡液管（１１）は、逆止弁（１２４）を有する分岐通路（１２３）を備えている。上記分岐通路（１２３）は、一端が第１連絡液管（１１）における空気熱交換器（１２１）と分岐液管（１３）の接続点との間に接続され、他端が第２連絡液管（１２）における逆止弁（１２５）と室内膨張弁（４２）との間に接続されている。上記逆止弁（１２４）は、第１連絡液管（１１）から第２連絡液管（１２）に向かう冷媒の流れのみを許容するように構成されている。
【０１１６】
図３に示すように、上記室内ユニット（１Ｂ）の冷房と冷蔵ユニット（１Ｃ）および冷凍ユニット（１Ｄ）の冷却とを同時に行う冷房冷凍運転の場合、室外熱交換器（４）で凝縮した液冷媒は、高圧液管（１０）を流れ、レシーバ（１４）を経て第１連絡液管（１１）のみに流れる。上記第１連絡液管（１１）を流れた液冷媒は、空気熱交換器（１２１）で過冷却ファン（１２２）により取り込んだ空気と熱交換して過冷却される。この過冷却の液冷媒の一部は、第１連絡液管（１１）から冷蔵熱交換器（４５）と冷凍熱交換器（５１）とにそれぞれ分流して流れて蒸発する。一方、上記過冷却の他の液冷媒は、分岐通路（１２３）から第２連絡液管（１２）を経て室外熱交換器（４）に流れて蒸発する。これにより、上記実施形態１における冷房冷凍運転時と同様に、高い冷房能力および冷却能力が得られる。また、上記冷蔵ユニット（１Ｃ）および冷凍ユニット（１Ｄ）の運転状況に拘わらず、空調系統における室内熱交換器（４１）には、空気熱交換器（１２１）によって過冷却された液冷媒が流入するので、室内ユニット（１Ｂ）における冷房能力を向上させることができる。
【０１１７】
図４に示すように、上記室内ユニット（１Ｂ）の暖房と冷蔵ユニット（１Ｃ）および冷凍ユニット（１Ｄ）の冷却を同時に行う暖房冷凍運転の場合、室内熱交換器（４１）で凝縮した液冷媒は、第２連絡液管（１２）に流れ、逆止弁（１２５）を介して室外ユニット（１Ａ）に流れる。該室外ユニット（１Ａ）に流れた液冷媒は、レシーバ（１４）を経て高圧液管（１０）に流れ、一部の液冷媒が補助液管（２５）から室外熱交換器（４）に流れて蒸発し、他の液冷媒が第１連絡液管（１１）に流れる。この第１連絡液管（１１）に流れた液冷媒は、上述した冷房冷凍運転時と同様に、空気熱交換器（１２１）で過冷却され、該過冷却の液冷媒の一部が冷蔵熱交換器（４５）および冷凍熱交換器（５１）に流れて蒸発する。上記過冷却の他の液冷媒は、分岐通路（１２３）から第２連絡液管（１２）に流れて室内熱交換器（４１）からの液冷媒と合流し、逆止弁（１２５）を介して再び室外ユニット（１Ａ）に流れる。この循環を繰り返すことにより、室内熱交換器（４１）を流れた液冷媒は、分岐通路（１２３）を流れる過冷却の液冷媒と混合することによって、次第に過冷却され、その結果、冷蔵ユニット（１Ｃ）および冷凍ユニット（１Ｄ）における冷却能力を高めることができる。その他の構成、作用および効果は、実施形態１と同様である。
【０１１８】
【発明の実施の形態３】
次に、本発明の実施形態３を図面に基づいて詳細に説明する。
【０１１９】
本実施形態３は、図７および図８に示すように、上記実施形態１が過冷却手段（１１０，１００）を第１連絡液管（１１）および第２連絡液管（１２）のそれぞれに設けたのに代えて、過冷却手段（１００）を空調系統における第２連絡液管（１２）のみに設けたものである。つまり、本実施形態３は、実施形態１における第１連絡液管（１１）の第１過冷却手段（１１０）を除去したものである。
【０１２０】
図５に示すように、本実施形態３では、冷房冷凍運転の場合、常に過冷却の液冷媒が室内熱交換器（４１）のみに流れる。したがって、上記冷蔵ユニット（１Ｃ）および冷凍ユニット（１Ｄ）の運転状況に拘わらず、室内ユニット（１Ｂ）における冷房能力を向上させることができる。
【０１２１】
図６に示すように、暖房冷凍運転の場合、上記過冷却手段（１００）で過冷却された液冷媒の一部が冷蔵ユニット（１Ｃ）および冷凍ユニット（１Ｄ）に流れて蒸発する。したがって、上記冷蔵ユニット（１Ｃ）および冷凍ユニット（１Ｄ）における冷却能力を高めることができる。その他の構成、作用および効果は、実施形態１と同様である。
【０１２２】
【発明のその他の実施の形態】
本発明は、上記各実施形態について、以下のような構成としてもよい。
【０１２３】
例えば、上記実施形態１および実施形態３において、過冷却手段（１００，１１０）に代えて、それぞれ空気熱交換器（１２１）および過冷却ファン（１２２）を設けるようにしてもよい。
【０１２４】
また、本発明では、必ずしも冷凍ユニット（１Ｄ）を設ける必要はない。逆に、冷蔵ユニット（１Ｃ）等を複数台設けるようにしてもよい。
【０１２５】
【発明の効果】
したがって、請求項１および請求項２に係る発明によれば、空調系統および冷却系統のそれぞれの液管（１１，１２）に、個別に液管（１２，１１）から分岐した液冷媒で液管（１１，１２）を流れる液冷媒を過冷却するそれぞれの過冷却手段（１１０，１００）を設けるようにしたので、過冷却の液冷媒を室内熱交換器（４１）および冷却熱交換器（４５）に個別に流すことができる。したがって、空調系統および冷却系統の相互の運転状況に関係なく、冷房および冷却能力を高めることができる。
【０１２６】
また、請求項３に係る発明によれば、各過冷却手段（１１０，１００）で蒸発したガス冷媒を常に冷却系統用の圧縮機構（２Ｄ）の吸入側に流すようにしたので、空調系統の冷暖切換により圧縮機構（２Ｅ）の吐出ラインと吸入ラインとが切り換わっても、確実に液冷媒を過冷却することができると共に、ガス冷媒の流入先を切り換えるための新たな切換手段等が不要になり、コンパクトな冷媒回路（１Ｅ）を構築することができる。
【０１２７】
また、請求項４に係る発明によれば、リキッドインジェクション管（２７）の液冷媒により圧縮機構（２Ｄ）に吸入されるガス冷媒の過熱度が増大するのを防止するようにしたので、圧縮機構（２Ｄ）における冷媒の過熱を抑制することができ、圧縮機構（２Ｄ）に安全な運転を実現することができる。
【０１２８】
また、請求項５に係る発明によれば、圧縮機構（２Ｄ，２Ｅ）から吐出された高圧冷媒が熱源側熱交換器（４）で凝縮して室内熱交換器（４１）および冷却熱交換器（４５）の少なくとも何れか一方で蒸発する第１運転と、圧縮機構（２Ｄ，２Ｅ）から吐出された高圧冷媒が室内熱交換器（４１）で凝縮して熱源側熱交換器（４）および冷却熱交換器（４５）の少なくとも何れか一方で蒸発する第２運転とを可能にしたので、空調系統の冷房および暖房運転に関係なく、過冷却手段（１１０，１００）で液冷媒を過冷却することができる。したがって、空調系統の何れの運転モードにおいても、確実に冷房能力や冷却能力を高めることができる。
【０１２９】
また、請求項６に係る発明によれば、第１運転時に液冷媒が熱源側熱交換器（４）から室内熱交換器（４１）と冷却熱交換器（４５）とに流れる配管で、且つ、第２運転時に液冷媒が室内熱交換器（４１）から冷却熱交換器（４５）に流れる配管に、該配管を流れる液冷媒を過冷却する過冷却手段（１００）を設けるようにしたので、上記空調系統および冷却系統の相互の運転状況に関係なく、冷房および冷却能力の両方、または何れか一方を高めることができる。また、上記第２運転の場合、室内熱交換器（４１）における冷媒の凝縮熱量が冷却熱交換器（４５）における冷媒の蒸発熱量に変わるので、熱回収を行うことができ、運転の効率化を図ることができる。
【０１３０】
また、請求項７に係る発明によれば、過冷却手段（１００）に空気熱交換器（１２１）を用いるようにしたので、簡易な装置を構築することができる。
【０１３１】
また、請求項８および請求項９に係る発明によれば、過冷却手段（１００）として空調系統の液管（１２）に過冷却熱交換器（１０１）および過冷却通路（１０２）を設けて、液管（１２）から分岐した液冷媒で液管（１２）の液冷媒を過冷却するようにしたので、液管（１２）の液冷媒を確実に過冷却することができる。したがって、冷房および冷却能力を確実に高めることができる。
【図面の簡単な説明】
【図１】実施形態１に係る冷凍装置の冷房冷凍運転の動作を示す冷媒回路図である。
【図２】実施形態１に係る冷凍装置の暖房冷凍運転の動作を示す冷媒回路図である。
【図３】実施形態１に係る冷凍装置の冷房冷凍運転時の冷媒挙動を示すモリエル線図である。
【図４】実施形態１に係る冷凍装置の暖房冷凍運転時の冷媒挙動を示すモリエル線図である。
【図５】実施形態２に係る冷凍装置の冷房冷凍運転の動作を示す冷媒回路図である。
【図６】実施形態２に係る冷凍装置の暖房冷凍運転の動作を示す冷媒回路図である。
【図７】実施形態３に係る冷凍装置の冷房冷凍運転の動作を示す冷媒回路図である。
【図８】実施形態３に係る冷凍装置の暖房冷凍運転の動作を示す冷媒回路図である。
【符号の説明】
（１）冷凍装置
（１Ｅ）冷媒回路
（２Ｄ）圧縮機構
（２Ｅ）圧縮機構
（４）室外熱交換器（熱源側熱交換器）
（１１）第１連絡液管（液管）
（１２）第２連絡液管（液管）
（４１）室内熱交換器
（４５）冷蔵熱交換器（冷却熱交換器）
（５１）冷凍熱交換器（冷却熱交換器）
（１００）第２過冷却手段（過冷却手段）
（１０１）第２過冷却熱交換器（過冷却熱交換器）
（１０２）第２過冷却通路（過冷却通路）
（１０３）第２上流側通路（上流側通路）
（１０４）第２過冷却膨張弁（膨張機構）
（１０６）第２下流側通路（下流側通路）
（１１０）第１過冷却手段
（１１１）第１過冷却熱交換器
（１１２）第１過冷却通路
（１１３）第１上流側通路
（１１４）第１過冷却膨張弁（膨張機構）
（１１６）第１下流側通路
（１２１）空気熱交換器
（１２３）分岐通路
（１２４）逆止弁
（１２５）逆止弁
【図１】
2004347269.tif 000003
【図２】
2004347269.tif 000004
【図３】
2004347269.tif 000005
【図４】
2004347269.tif 000006
【図５】
2004347269.tif 000007
【図６】
2004347269.tif 000008
【図７】
2004347269.tif 000009
【図８】
2004347269.tif 000010